(57)【特許請求の範囲】
【請求項１】
複数のゲート線と、複数のデータ線と、前記ゲート線及び前記データ線に接続されているスイッチング素子を含む複数の画素と、データ駆動部と、ゲート駆動部と、前記データ駆動部及び前記ゲート駆動部を制御する信号制御部と、を含む表示装置において、
前記信号制御部が、１フレームの入力映像データの垂直解像度を１／ｋ（ｋは自然数）に減らすか、または垂直解像度が１／ｋに減少した入力映像データを受信し処理して出力映像データを生成する段階と、
前記データ駆動部が前記出力映像データに基づいてデータ電圧を生成して前記データ線に印加する段階と、
前記ゲート駆動部が、前記出力映像データの各映像データに対応してｋ個の隣接するゲート線にゲートオン電圧パルスを印加する段階と、
を含み、
第１フレームで前記出力映像データのうちの一部画素行に対応する出力映像データを左または右に少なくとも１つの画素分移動させて前記データ駆動部に出力し、
前記出力映像データのうちの一定個数の画素行ごとに対応する前記出力映像データを左または右に少なくとも１つの画素分移動させて前記データ駆動部に出力する、
表示装置の駆動方法。
【請求項２】
前記一定個数の画素行は、２ｋ（ｋは１以上の自然数）個の画素行である、請求項１に記載の表示装置の駆動方法。
【請求項３】
前記第１フレーム内に前記移動する出力映像データは、左に移動するか、または右に移動する、請求項１に記載の表示装置の駆動方法。
【請求項４】
前記移動する出力映像データが左に移動するフレームと、前記移動する出力映像データが右に移動するフレームとは、少なくとも１フレームごとに交番して移動する、請求項３に記載の表示装置の駆動方法。
【請求項５】
第２フレームで画素行に対応する出力映像データは左右に移動せず、そのまま前記データ駆動部に出力される、請求項３に記載の表示装置の駆動方法。
【請求項６】
前記第１フレームと前記第２フレームが少なくとも１フレームごとに交番する、請求項５に記載の表示装置の駆動方法。
【請求項７】
前記移動する出力映像データが左に移動するフレーム、前記移動する出力映像データが右に移動するフレーム、及び前記第２フレームが交番する、請求項５に記載の表示装置の駆動方法。
【請求項８】
前記第１フレーム内に前記移動する出力映像データのうち、左に移動する出力映像データと、右に移動する出力映像データとは、列方向に交番する、請求項１に記載の表示装置の駆動方法。
【請求項９】
第２フレームで画素行に対応する出力映像データは左右に移動せず、そのまま前記データ駆動部に出力される、請求項８に記載の表示装置の駆動方法。
【請求項１０】
前記第１フレームと前記第２フレームが少なくとも１フレームごとに交番する、請求項９に記載の表示装置の駆動方法。
【請求項１１】
前記出力映像データは連続して出力される第１出力映像データ及び第２出力映像データを含み、
前記第１出力映像データに対応して前記ゲートオン電圧パルスを伝達する前記ｋ個の隣接するゲート線は、第１ゲート線及び第２ゲート線を含み、
前記第２出力映像データに対応して前記ゲートオン電圧パルスを伝達する前記ｋ個の隣接するゲート線は、第３ゲート線及び第４ゲート線を含み、
前記第２ゲート線に前記ゲートオン電圧パルスが印加され始める時点は、前記第１ゲート線に前記ゲートオン電圧パルスが印加され始める時点と、前記第３ゲート線に前記ゲートオン電圧パルスが印加され始める時点との間に位置する、請求項１に記載の表示装置の駆動方法。
【請求項１２】
前記第１ゲート線は、前記第１出力映像データの出力時期に同期して前記ゲートオン電圧パルスを伝達し、
前記第３ゲート線は、前記第２出力映像データの出力時期に同期して前記ゲートオン電圧パルスを伝達する、請求項１１に記載の表示装置の駆動方法。
【請求項１３】
前記出力映像データは、奇数行圧縮データまたは奇数行補間圧縮データを含み、
前記奇数行圧縮データは、前記入力映像データの奇数行を抽出して生成され、
前記奇数行補間圧縮データは、前記奇数行直前の偶数行の前記入力映像データと、前記奇数行直後の偶数行の前記入力映像データとを補間して生成される、請求項１２に記載の表示装置の駆動方法。
【請求項１４】
複数のゲート線及び複数のデータ線と、
前記ゲート線及び前記データ線に接続されているスイッチング素子を含む複数の画素と、
１フレームの入力映像データの垂直解像度を１／ｋ（ｋは自然数）に減らすか、または垂直解像度が１／ｋに減少した入力映像データを受信し処理して出力映像データを生成する信号制御部と、
前記出力映像データに基づいてデータ電圧を生成して前記データ線に印加するデータ駆動部と、
前記出力映像データの各映像データに対応してｋ個の隣接するゲート線にゲートオン電圧パルスを印加するゲート駆動部と、
を含み、
前記信号制御部は、第１フレームの前記出力映像データのうちの一部画素行に対応する出力映像データを左または右に少なくとも１つの画素分移動させて前記データ駆動部に出力し、前記出力映像データのうちの一定個数の画素行ごとに対応する前記出力映像データを左または右に少なくとも１つの画素分移動させて前記データ駆動部に出力する、
表示装置。
【請求項１５】
複数のゲート線と、複数のデータ線と、前記ゲート線及び前記データ線に接続されているスイッチング素子を含む複数の画素と、データ駆動部と、ゲート駆動部と、前記データ駆動部及び前記ゲート駆動部を制御する信号制御部と、を含む表示装置において、
前記信号制御部が、１フレームの入力映像データの垂直解像度を１／ｋ（ｋは自然数）に減らすか、または垂直解像度が１／ｋに減少した入力映像データを受信し処理して出力映像データを生成する段階と、
前記データ駆動部が前記出力映像データに基づいてデータ電圧を生成して前記データ線に印加する段階と、
前記ゲート駆動部が、前記出力映像データの各映像データに対応してｋ個の隣接するゲート線にゲートオン電圧パルスを印加する段階と、
を含み、
第１フレームで前記出力映像データのうちの一部画素行に対応する出力映像データを左または右に少なくとも１つの画素分移動させて前記データ駆動部に出力し、
前記出力映像データは連続して出力される第１出力映像データ及び第２出力映像データを含み、
前記第１出力映像データに対応して前記ゲートオン電圧パルスを伝達する前記ｋ個の隣接するゲート線は、第１ゲート線及び第２ゲート線を含み、
前記第２出力映像データに対応して前記ゲートオン電圧パルスを伝達する前記ｋ個の隣接するゲート線は、第３ゲート線及び第４ゲート線を含み、
前記第２ゲート線に前記ゲートオン電圧パルスが印加され始める時点は、前記第１ゲート線に前記ゲートオン電圧パルスが印加され始める時点と、前記第３ゲート線に前記ゲートオン電圧パルスが印加され始める時点との間に位置する表示装置の駆動方法。
【発明の詳細な説明】
【技術分野】
【０００１】
本発明は、表示装置及びその駆動方法に関する。
【背景技術】
【０００２】
液晶表示装置（ｌｉｑｕｉｄ  ｃｒｙｓｔａｌ  ｄｉｓｐｌａｙ、ＬＣＤ）、有機発光表示装置（ｏｒｇａｎｉｃ  ｌｉｇｈｔ  ｅｍｉｔｔｉｎｇ  ｄｉｏｄｅ  ｄｉｓｐｌａｙ、ＯＬＥＤ）などの表示装置は、一般に、表示パネル、及び表示パネルを駆動するための駆動装置を含む。
【０００３】
表示パネルは、複数の信号線、及びこれに接続され、ほぼ行列状に配列された複数の画素を含む。
【０００４】
信号線は、ゲート信号を伝達する複数のゲート線、及びデータ電圧を伝達する複数のデータ線などを含む。
【０００５】
各画素は、当該ゲート線及び当該データ線と接続されている少なくとも１つのスイッチング素子と、これに接続された少なくとも１つの画素電極と、画素電極と対向して共通電圧の印加を受ける対向電極とを含むことができる。
【０００６】
スイッチング素子は、少なくとも１つの薄膜トランジスタを含んでもよく、ゲート線が伝達するゲート信号によりオンまたはオフされて、データ線が伝達するデータ電圧を選択的に画素電極に伝達することができる。各画素は、スイッチング素子を通して所望の輝度情報に対応するデータ電圧の印加を受ける。画素に印加されたデータ電圧は、対向電極に印加される共通電圧との差により画素電圧として現れ、画素電圧により各画素は映像信号の階調が示す輝度を表示する。
【０００７】
表示装置の駆動装置は、グラフィック制御部、駆動部、及び駆動部を制御する信号制御部を含む。
【０００８】
グラフィック制御部は、表示する映像に対する入力映像データを信号制御部に伝送する。入力映像データは、各画素の輝度情報を含んでおり、各輝度は定められた階調数を有している。
【０００９】
信号制御部は、表示パネルを駆動するための制御信号を生成して、映像データと共に駆動部に伝送する。
【００１０】
駆動部は、ゲート信号を生成するゲート駆動部、及びデータ電圧を生成するデータ駆動部を含む。
【００１１】
画素が目標とする輝度の映像を適時に表示するためには、画素の充電率が確保されなければならず、そのためにゲートダブリング（ｇａｔｅ  ｄｏｕｂｌｉｎｇ）技術が用いられてもよい。ゲートダブリング駆動は、全行の映像データを出力せずに、減少した映像データを出力し、２つ以上のゲート線を少なくとも一部時間に同時に駆動して、フレームレートを２倍以上にすることができる。したがって、同一の入力映像データに対して出力映像データを連続して複数回表示パネルに入力できるので、画素の応答速度を高め、隣接するフレーム間のクロストークを減らすことができる。しかし、減少した映像データを出力するので、垂直解像度が低下する可能性がある。
【００１２】
ゲートダブリング駆動は、２次元映像表示だけでなく、３次元映像またはマルチビュー映像表示にも用いることができる。
【００１３】
一般に、３次元映像表示技術においては、近距離で立体感を認識する最も大きな要因である両眼視差（ｂｉｎｏｃｕｌａｒ  ｐａｒａｌｌａｘ）を利用して物体の立体感を表現する。すなわち、左眼と右眼にはそれぞれ互いに異なる２次元映像が映され、左眼に映される映像（以下、「左眼映像（ｌｅｆｔ  ｅｙｅ  ｉｍａｇｅ）」という）と、右眼に映される映像（以下、「右眼映像（ｒｉｇｈｔ  ｅｙｅ  ｉｍａｇｅ）」という）が脳に伝達されると、左眼映像と右眼映像は脳で融合されて、奥行感覚（ｄｅｐｔｈ  ｐｅｒｃｅｐｔｉｏｎ）を有する３次元映像として認識される。
【００１４】
３次元映像を表示できる表示装置は、このような両眼視差を利用するものであり、シャッターメガネ（ｓｈｕｔｔｅｒ  ｇｌａｓｓｅｓ）、偏光メガネ（ｐｏｌａｒｉｚｅｄ  ｇｌａｓｓｅｓ）などのメガネを利用するメガネ式（ｓｔｅｒｅｏｓｃｏｐｉｃ）３次元映像表示装置と、メガネを利用せずに表示装置にレンチキュラーレンズ（ｌｅｎｔｉｃｕｌａｒ  ｌｅｎｓ）、パララクスバリア（ｐａｒａｌｌａｘ  ｂａｒｒｉｅｒ）などの光学系を含有する非メガネ式（ａｕｔｏｓｔｅｒｅｏｓｃｏｐｉｃ）３次元映像表示装置とがある。
【００１５】
シャッターメガネなどを用いるメガネ式３次元映像表示装置が３次元映像を表示するとき、左眼映像表示フレームと右眼映像表示フレームが分離され、交互に表示されるので、隣接するフレーム間のクロストークが大きくなりうる。この場合、ゲートダブリング駆動方式により表示パネルを駆動すれば、さらに速いフレームレートで同一の映像データを繰り返して表示パネルに入力することができるので、画素の応答速度が速くなり、隣接するフレーム間のクロストークを低くすることができる。これは、３次元映像表示装置だけでなく、複数の地点の観察者に互いに異なる映像を表示するマルチビュー表示装置の場合にも同一に適用可能である。
【先行技術文献】
【特許文献】
【００１６】
【特許文献１】韓国公開特許第１０−２００８−００１４３３１号公報
【発明の概要】
【発明が解決しようとする課題】
【００１７】
ゲートダブリング駆動時、表示パネルに出力される出力映像データの垂直解像度は、ゲートダブリングしない場合の出力映像データの垂直解像度のほぼ１／２またはその以下となりうる。したがって、ある形状の周縁が円のような曲線や斜線になっている場合、当該映像の周縁がスムーズに見られず、こぎりの歯のようにぎざぎざに見えることがある。これをエイリアシングまたは階段現象（ａｌｉａｓｉｎｇ）という。このような階段現象は、１フレームの映像の解像度が悪化する主要な要因となり、映像の品質を低下させる。
【００１８】
そこで、本発明は、上記問題点に鑑みてなされたものであり、本発明の目的は、ゲートダブリング駆動時、垂直解像度が低くなることにより発生しうる階段現象を緩和して、映像の周縁をスムーズにすることにある。
【００１９】
また、本発明の他の目的は、より多くの情報の映像データを表示して、解像度の劣化を抑制できる表示装置及びその駆動方法を提供することにある。
【００２０】
さらに、本発明の他の目的は、表示装置が極性反転駆動され、特定映像が特定速度で動くときに視認されうるムービング縦線が視認されないようにして、側面視認性を向上させることにある。
【課題を解決するための手段】
【００２１】
本発明の一実施形態による表示装置の駆動方法は、複数のゲート線と、複数のデータ線と、前記ゲート線及び前記データ線に接続されているスイッチング素子を含む複数の画素と、データ駆動部と、ゲート駆動部と、前記データ駆動部及び前記ゲート駆動部を制御する信号制御部と、を含む表示装置において、前記信号制御部が、１フレームの入力映像データの垂直解像度を１／ｋ（ｋは自然数）に減らすか、または垂直解像度が１／ｋに減少した入力映像データを受信し処理して出力映像データを生成する段階と、前記データ駆動部が前記出力映像データに基づいてデータ電圧を生成して前記データ線に印加する段階と、前記ゲート駆動部が前記出力映像データの各映像データに対応してｋ個の隣接するゲート線にゲートオン電圧パルスを印加する段階と、を含み、第１フレームで前記出力映像データのうちの一部画素行に対応する出力映像データを左（ｌｅｆｔ）または右（ｒｉｇｈｔ）に少なくとも１つの画素分移動させて前記データ駆動部に出力する。
【００２２】
本発明の一実施形態による表示装置は、複数のゲート線及び複数のデータ線と、前記ゲート線及び前記データ線に接続されているスイッチング素子を含む複数の画素と、１フレームの入力映像データの垂直解像度を１／ｋ（ｋは自然数）に減らすか、または垂直解像度が１／ｋに減少した入力映像データを受信し処理して出力映像データを生成する信号制御部と、前記出力映像データに基づいてデータ電圧を生成して前記データ線に印加するデータ駆動部と、前記出力映像データの各映像データに対応して、ｋ個の隣接するゲート線にゲートオン電圧パルスを印加するゲート駆動部と、を含み、前記信号制御部は、第１フレームの前記出力映像データのうちの一部画素行に対応する出力映像データを左または右に少なくとも１つの画素分移動させて前記データ駆動部に出力する。
【００２３】
前記出力映像データのうち、一定の数の画素行ごとに対応する前記出力映像データを左または右に少なくとも１つの画素分移動させて前記データ駆動部に出力してもよい。
【００２４】
前記一定の数の画素行は、２ｋ（ｋは、１以上の自然数）個の画素行であってもよい。
【００２５】
前記第１フレーム内に前記移動する出力映像データは、左に移動するか、または右に移動してもよい。
【００２６】
前記移動する出力映像データが左に移動するフレームと、前記移動する出力映像データが右に移動するフレームとは、少なくとも１つのフレームごとに交番して移動してもよい。
【００２７】
第２フレームで画素行に対応する出力映像データは、左右に移動せず、そのまま前記データ駆動部に出力されてもよい。
【００２８】
前記第１フレームと前記第２フレームとが少なくとも１フレームごとに交番してもよい。
【００２９】
前記移動する出力映像データが左に移動するフレーム、前記移動する出力映像データが右に移動するフレーム、及び前記第２フレームは、交番してもよい。
【００３０】
前記第１フレーム内に前記移動する出力映像データのうち、左に移動する出力映像データと右に移動する出力映像データとは、列方向に交番してもよい。
【００３１】
第２フレームで画素行に対応する出力映像データは、左右に移動せず、そのまま前記データ駆動部に出力されてもよい。
【００３２】
前記第１フレームと前記第２フレームとが少なくとも１フレームごとに交番してもよい。
【００３３】
前記第１フレームにおいて、前記ｋ個の隣接するゲート線のうちの少なくとも２つのゲート線に前記ゲートオン電圧パルスが印加される時点は、互いに異なってもよい。
【００３４】
前記出力映像データは、連続して出力される第１出力映像データ及び第２出力映像データを含み、前記第１出力映像データに対応して前記ゲートオン電圧パルスを伝達する前記ｋ個の隣接するゲート線は、第１ゲート線及び第２ゲート線を含み、前記第２出力映像データに対応して前記ゲートオン電圧パルスを伝達する前記ｋ個の隣接するゲート線は、第３ゲート線及び第４ゲート線を含み、前記第２ゲート線に前記ゲートオン電圧パルスが印加され始める時点は、前記第１ゲート線に前記ゲートオン電圧パルスが印加され始める時点と、前記第３ゲート線に前記ゲートオン電圧パルスが印加され始める時点との間に位置してもよい。
【００３５】
前記第１ゲート線は、前記第１出力映像データの出力時期に同期して前記ゲートオン電圧パルスを伝達し、前記第３ゲート線は、前記第２出力映像データの出力時期に同期して前記ゲートオン電圧パルスを伝達してもよい。
【００３６】
前記出力映像データは、奇数行圧縮データまたは奇数行補間圧縮データを含み、前記奇数行圧縮データは、前記入力映像データの奇数行を抽出して生成され、前記奇数行補間圧縮データは、前記奇数行直前の偶数行の前記入力映像データと、前記奇数行直後の偶数行の前記入力映像データを補間して生成されてもよい。
【００３７】
前記第２ゲート線に印加される前記ゲートオン電圧パルスと、前記第１ゲート線に印加される前記ゲートオン電圧パルスとの重畳期間の長さは、隣接するフレームにおいて互いに異なってもよい。
【発明の効果】
【００３８】
本発明の実施形態によれば、表示装置をゲートダブリング駆動するとき、垂直解像度が低くなることにより発生しうる階段現象を緩和して、映像の周縁がスムーズに見えるようにすることができ、さらに多くの情報の映像データを表示しても解像度の劣化を抑制することができる。
【００３９】
また、表示装置が極性反転駆動され、特定映像が特定速度で動くときに視認されうるムービング縦線が視認されないようにして、側面視認性を向上させることができる。
【図面の簡単な説明】
【００４０】
【図１】本発明の一実施形態による表示装置のブロック図である。
【図２】本発明の一実施形態による表示装置をゲートダブリングオフ駆動するとき、１フレーム内に表示パネルに入力される出力映像データ及びゲート信号を示す。
【図３】本発明の一実施形態による表示装置をゲートダブリングオフ駆動するとき、１フレーム内に表示パネルに入力される出力映像データ及びゲート信号を示す。
【図４】本発明の一実施形態による表示装置をゲートダブリング駆動するとき、１フレーム内に表示パネルに入力される出力映像データ及びゲート信号を示す。
【図５】本発明の一実施形態による表示装置をゲートダブリング駆動するとき、１フレーム内に表示パネルに入力される出力映像データ及びゲート信号を示す。
【図６】本発明の一実施形態による表示装置の駆動方法により映像の階段現象が緩和される結果を示す図面である。
【図７】本発明の一実施形態による表示装置をゲートダブリング駆動するとき、１フレーム内に表示パネルに入力される出力映像データ及びゲート信号を示す。
【図８】本発明の一実施形態による表示装置をゲートダブリング駆動するとき、１フレーム内に表示パネルに入力される出力映像データ及びゲート信号を示す。
【図９】本発明の一実施形態による表示装置が特定映像を表示するときに現れるムービング縦線が、本発明の一実施形態による表示装置の駆動方法により解消されることを示す。
【図１０】本発明の一実施形態による表示装置をゲートダブリング駆動するとき、１フレーム内に表示パネルに入力される出力映像データ及びゲート信号を示す。
【図１１】本発明の一実施形態による表示装置をゲートダブリング駆動するとき、１フレーム内に表示パネルに入力される出力映像データ及びゲート信号を示す。
【図１２】本発明の一実施形態による表示装置をゲートダブリング駆動するとき、１フレーム内に表示パネルに入力される出力映像データ及びゲート信号を示す。
【図１３】本発明の一実施形態による表示装置をゲートダブリング駆動するとき、１フレーム内に表示パネルに入力される出力映像データ及びゲート信号を示す。
【図１４】本発明の一実施形態による表示装置をゲートダブリング駆動するとき、１フレーム内に表示パネルに入力される出力映像データ及びゲート信号を示す。
【図１５】本発明の一実施形態による表示装置をゲートダブリング駆動するとき、１フレーム内に表示パネルに入力される出力映像データ及びゲート信号を示す。
【図１６】本発明の一実施形態による表示装置をゲートダブリング駆動するとき、１フレーム内に表示パネルに入力される出力映像データ及びゲート信号を示す。
【図１７】本発明の一実施形態による表示装置のブロック図である。
【図１８】本発明の一実施形態による表示装置がメガネを利用して立体映像を表示する方法を示す図面である。
【発明を実施するための形態】
【００４１】
添付した図面を参照しながら、本発明の実施形態について本発明が属する技術分野における通常の知識を有する者が容易に実施できるように詳細に説明する。しかし、本発明は種々の異なる形態にて実現することも可能であり、以下で説明する実施形態に限られない。
【００４２】
図面において、種々の層及び領域を明確に表現するために厚さを拡大して示した。明細書の全体にわたって類似する部分に対しては同一の図面符号を付した。層、膜、領域、板などの部分が他の部分の「上」にあると表現される場合、これは他の部分の「すぐ上」にある場合だけでなく、その中間に他の部分がある場合も含む。一方、ある部分が他の部分の「すぐ上」にあると表現される場合には、中間に他の部分がないことを意味する。
【００４３】
明細書、および特許請求の範囲の全体において、ある部分が他の部分と「接続」されていると表現される場合、これは「直接的に接続」されている場合だけでなく、その中間に他の素子を介して「電気的に接続」されている場合も含む。また、ある部分がある構成要素を「含む」と表現される場合、これは特に反対になる記載がない限り、他の構成要素を除くことではなく、他の構成要素をさらに含むことができるのを意味する。
【００４４】
最初に、図１乃至図５を参照して、本発明の一実施形態による表示装置及びその駆動方法について説明する。
【００４５】
図１を参照すれば、本発明の一実施形態による表示装置１は、表示パネル（ｄｉｓｐｌａｙ  ｐａｎｅｌ）３００、表示パネル３００に接続されたゲート駆動部４００及びデータ駆動部５００、そして信号制御部６００を含む。
【００４６】
表示パネル３００は、等価回路から見るとき、複数の信号線と、これに接続されている複数の画素ＰＸとを含む。複数の画素ＰＸは、ほぼ行列状に配列されていてもよい。本発明の一実施形態による表示装置が液晶表示装置である場合、表示パネル３００は、少なくとも１つの基板と、密封されている液晶層（図示せず）とを含んでもよい。
【００４７】
信号線は、ゲート信号を伝達する複数のゲート線Ｇ１−Ｇｎと、データ電圧Ｖｄを伝達する複数のデータ線Ｄ１−Ｄｍとを含む。ゲート線Ｇ１−Ｇｎは行方向に延在し、データ線Ｄ１−Ｄｍは列方向に延在してもよい。
【００４８】
画素ＰＸは、データ線Ｄ１−Ｄｍのうち少なくとも１つ、及びゲート線Ｇ１−Ｇｎのうち少なくとも１つに接続されている、少なくとも１つのスイッチング素子（図示せず）と、これに接続された少なくとも１つの画素電極（図示せず）とを含んでもよい。スイッチング素子は、少なくとも１つの薄膜トランジスタを含んでもよく、ゲート線Ｇ１−Ｇｎが伝達するゲート信号により制御されて、データ線Ｄ１−Ｄｍが伝達するデータ電圧Ｖｄを画素電極に伝達してもよい。
【００４９】
各画素ＰＸは、色表示を実現するために原色（ｐｒｉｍａｒｙ  ｃｏｌｏｒ）のうちの１つを表示するか（空間分割）、または各画素ＰＸが時間によって交互に原色を表示して（時間分割）、これら原色の空間的、時間的な相互作用によって所望の色が認識されるようにすることができる。
【００５０】
信号制御部６００は、グラフィック制御部などの外部から入力映像データＩＤＡＴ及び入力制御信号ＩＣＯＮを受信して、表示パネル３００の駆動を制御する。
【００５１】
入力映像データＩＤＡＴは輝度（ｌｕｍｉｎａｎｃｅ）情報を含んでおり、輝度は定められた数の階調（ｇｒａｙ）を有することができる。入力制御信号ＩＣＯＮは、映像表示と関連して垂直同期信号Ｖｓｙｎｃ、水平同期信号Ｈｓｙｎｃ、メインクロックＭＣＬＫ、及びデータイネーブル信号ＤＥなどを含んでもよい。本発明の他の実施形態によれば、入力制御信号ＩＣＯＮはフレームレート情報をさらに含んでもよい。
【００５２】
信号制御部６００は、入力映像データＩＤＡＴと入力制御信号ＩＣＯＮに基づいて、入力映像データＩＤＡＴを表示パネル３００の動作条件に合うように適切に処理して出力映像データＤＡＴを生成し、ゲート制御信号ＣＯＮＴ１、データ制御信号ＣＯＮＴ２などを生成する。信号制御部６００は、ゲート制御信号ＣＯＮＴ１をゲート駆動部４００に伝達し、データ制御信号ＣＯＮＴ２及び出力映像データＤＡＴをデータ駆動部５００に伝達する。
【００５３】
本発明の一実施形態による信号制御部６００はフレームレート制御部６５０をさらに含んでもよい。フレームレート制御部６５０は、入力映像データＩＤＡＴに基づいてフレームレートを制御する。フレームレートは、表示パネル３００が１秒あたりに表示するフレーム数（「フレーム周波数」ともいう）と定義される。信号制御部６００は、フレームレート制御部６５０の判断結果によりゲート制御信号ＣＯＮＴ１、データ制御信号ＣＯＮＴ２などを生成することができる。
【００５４】
信号制御部６００は、入力映像データＩＤＡＴをフレーム単位で保存できるフレームメモリ６６０をさらに含んでもよい。
【００５５】
ゲート駆動部４００はゲート線Ｇ１−Ｇｎに接続されている。ゲート駆動部４００は、信号制御部６００からゲート制御信号ＣＯＮＴ１を受信し、ゲート制御信号ＣＯＮＴ１に基づいてゲートオン電圧Ｖｏｎとゲートオフ電圧Ｖｏｆｆの組み合わせからなるゲート信号を少なくとも１つのゲート線Ｇ１−Ｇｎを１つの単位（ｕｎｉｔ）として列方向に順次に印加してもよい。
【００５６】
ゲート駆動部４００は、各出力映像データＤＡＴの出力時期に合わせてｋ個（ｋは２以上の自然数）の隣接したゲート線Ｇ１−Ｇｎを駆動して、ゲートオン電圧Ｖｏｎを少なくとも一部時間重なるように印加し、当該ゲート線Ｇ１−Ｇｎに接続された画素ＰＸに当該出力映像データＤＡＴに対応するデータ電圧Ｖｄが印加されるようにしてもよい。これをゲートダブリング駆動といい、これによって画素ＰＸの正常的な充電率を確保できる。ゲートダブリングと表現するが、必ずしも一対のゲート線を同時に駆動する方式に限定されず、３つ以上のゲート線が対をなすようにして同時に駆動する方式も含む。これに対し、ゲートダブリング駆動を行わず、各ゲート線Ｇ１−Ｇｎを独立的に駆動する方法は、ゲートダブリングオフ駆動という。
【００５７】
ゲートダブリング駆動時、全体の表示パネル３００のゲート線Ｇ１−Ｇｎにゲートオン電圧Ｖｏｎを順次に印加するスキャニング時間が、ゲートダブリングオフ駆動時より１／ｋ、すなわち、１／２、１／３などに減少することがあり、これにより、フレームレートがｋ倍、すなわち、２倍、３倍などに増加しうる。これとは異なり、フレームレートを増加させることなく、各ゲート線Ｇ１−Ｇｎに接続された画素の充電時間を増やして充電率を追加的に確保することも可能である。
【００５８】
データ駆動部５００はデータ線Ｄ１−Ｄｍと接続されている。データ駆動部５００は、信号制御部６００から出力映像データＤＡＴ及びデータ制御信号ＣＯＮＴ２を受信し、データ電圧Ｖｄを生成してこれをデータ線Ｄ１−Ｄｍに印加する。データ電圧Ｖｄは、複数の階調電圧から選択されてもよい。データ駆動部５００は、全ての階調電圧を別途の階調電圧生成部（図示せず）から受信してもよく、これとは異なり、限定された数の基準階調電圧のみを受信して、これを分圧して全体階調に対する階調電圧を生成してもよい。
【００５９】
ゲートダブリング駆動時、隣接した２つ以上のゲート線Ｇ１−Ｇｎが少なくとも一部時間の間に同時に駆動されてゲートオン電圧Ｖｏｎを伝達し、同時に駆動されるゲート線Ｇ１−Ｇｎに接続された画素ＰＸには同一のデータ電圧Ｖｄが印加される。
【００６０】
ゲートダブリング駆動時、信号制御部６００は、入力映像データＩＤＡＴを垂直解像度が１／ｋ（ｋは自然数）となるように減らして出力映像データＤＡＴを生成するか、または垂直解像度が１／ｋに減少した入力映像データＩＤＡＴを受信し、これを処理して出力映像データＤＡＴを生成してもよい。例えば、信号制御部６００は、入力映像データＩＤＡＴの奇数行または偶数行のみを抽出して、垂直解像度が１／２に減少した出力映像データＤＡＴを生成してもよい。入力映像データＩＤＡＴの奇数行のみを抽出して生成された出力映像データＤＡＴを奇数行圧縮データという。入力映像データＩＤＡＴの偶数行のみを抽出して生成された出力映像データＤＡＴを偶数行圧縮データという。
【００６１】
これとは異なり、信号制御部６００は、隣接した少なくとも２つの行の画素ＰＸに対応する入力映像データＩＤＡＴを平均などで補間して、減少した出力映像データＤＡＴを生成してもよい。すなわち、１つの奇数行に対する出力映像データＤＡＴは、それ以前の偶数行の入力映像データＩＤＡＴと、それ以後の偶数行の入力映像データＩＤＡＴとの平均などの補間により求めてもよく、これを奇数行補間圧縮データという。これと同様に、１つの偶数行に対する出力映像データＤＡＴは、それ以前の奇数行の入力映像データＩＤＡＴと、それ以後の奇数行の入力映像データＩＤＡＴとの平均などの補間により求めてもよく、これを偶数行補間圧縮データという。
【００６２】
本発明の他の実施形態によれば、信号制御部６００が、元の解像度の映像データを減らして出力映像データＤＡＴを生成する代わりに、入力映像データＩＤＡＴ自体が減少した映像データを含んでもよく、この場合、信号制御部６００は、減少した入力映像データＩＤＡＴを表示パネル３００及びデータ駆動部５００の条件に合うように適切に処理して出力映像データＤＡＴを生成してもよい。
【００６３】
本発明の一実施形態による表示装置の駆動方法を説明する前に、先ず、図２及び図３を参照してゲートダブリングオフ駆動について説明する。
【００６４】
図２及び図３を参照すれば、本発明の一実施形態による表示装置は、ゲートダブリングオフ駆動時、全ての行に対応する出力映像データＤＡＴをデータ駆動部５００に伝達して、それに対応するデータ電圧Ｖｄを表示パネル３００のデータ線Ｄ１−Ｄｍに入力してもよい。表示パネル３００において、（ｉ、ｊ）（１≦ｉ≦ｎ、１≦ｊ≦ｍ）は、ｉ番目ゲート線Ｇｉ及びｊ番目データ線Ｄｊに接続された画素ＰＸを示す。また、各出力映像データ（ｉ、ｊ）は、画素（ｉ、ｊ）に対応する映像データを示す。すなわち、出力映像データ（１、３）は、画素（１、３）に対応する映像データである。
【００６５】
図３は、複数の画素列のうちの第３画素列（ｉ、３）に対応する出力映像データ（ｉ、３）（ｉ＝１、２、３、・・・）を例として示す。
【００６６】
ゲート線Ｇ１−Ｇｎにはゲートオン電圧Ｖｏｎが順次に印加される。出力映像データ（ｉ、ｊ）の出力時期に同期して当該画素ＰＸに接続された各ゲート線Ｇ１−Ｇｎにゲートオン電圧Ｖｏｎが印加され始める。ＶＧｉはｉ番目ゲート線Ｇｉに入力されるゲート信号を示し、以下でこれは同一である。各ゲート線Ｇ１−Ｇｎにゲートオン電圧Ｖｏｎが印加される時間は、ほぼ１水平周期（１  ｈｏｒｉｚｏｎｔａｌ  ｐｅｒｉｏｄ）であってもよいが、これに限定されない。
【００６７】
図２及び図３においては、隣接したゲート線Ｇ１−Ｇｎに印加されるゲート信号ＶＧ１、ＶＧ２、．．．のゲートオン電圧パルスがほとんど重ならない例を示しているが、これに限定されず、ゲートオン電圧パルスを一定時間前に予め印加するプリチャージ駆動方法が適用されてもよい。このとき、隣接したゲート線Ｇ１−Ｇｎに印加されるゲートオン電圧パルスは一定時間互いに重なってもよく、当該ゲート線Ｇ１−Ｇｎに接続された画素ＰＸには同一の電圧が印加されてもよい。
【００６８】
これにより、全ての画素ＰＸに当該出力映像データ（ｉ、ｊ）に対応するデータ電圧Ｖｄが伝達されて画素ＰＸが充電され、映像を表示する。このとき、表示される映像は入力映像データＩＤＡＴと同一の垂直解像度を示すことができる。
【００６９】
以下、図４及び図５を参照して、本発明の一実施形態による表示装置のゲートダブリング方式による駆動方法について説明する。
【００７０】
本発明の一実施形態による表示装置の駆動方法においては、ゲートダブリング駆動時、１フレーム内の垂直解像度が１／ｋ（ｋは２以上の自然数）に減少した圧縮データ、例えば、奇数行圧縮データ（または奇数行補間圧縮データ）または偶数行圧縮データ（または偶数行補間圧縮データ）をデータ駆動部５００に入力し、それによるデータ電圧Ｖｄを画素ＰＸに印加してもよい。本実施形態では、一例として、奇数行圧縮データをデータ駆動部５００に出力する場合について説明する。例えば、第３画素列（ｉ、３）に対応する出力映像データＤＡＴは、奇数行に対応する映像データのみを抽出しているので、（１、３）、（３、３）、（５、３）、．．．の通りである。
【００７１】
図５は、複数の画素列のうちの第３画素列（ｉ、３）に対応する出力映像データ（ｉ、３（ｉ＝１、３、５、．．．）を例として示す。
【００７２】
本発明の一実施形態による表示装置の駆動方法においては、２つ以上の隣接したゲート線Ｇ１−Ｇｎを同時に駆動するゲートダブリング駆動を行うが、１つの出力映像データ（ｉ、ｊ）に対応してゲートオン電圧Ｖｏｎを伝達するｋ個（ｋは２以上の自然数）の隣接したゲート線Ｇ１−Ｇｎのうち、少なくとも２つのゲート線Ｇ１−Ｇｎにゲートオン電圧Ｖｏｎが印加され始める時点は互いに異なってもよい。
【００７３】
例えば、１つの出力映像データ（ｉ、ｊ）に対応してゲートオン電圧Ｖｏｎを伝達するｋ個のゲート線のうちの少なくとも一部に印加されるゲートオン電圧パルスが、後または前に時間的移動（ｔｉｍｉｎｇ  ｓｈｉｆｔ）をする。このとき、１つの出力映像データ（ｉ、ｊ）に対応してゲートオン電圧Ｖｏｎを伝達するｋ個の隣接したゲート線Ｇ１−Ｇｎのうちの少なくとも１つは、出力映像データ（ｉ、ｊ）の出力時期に同期してゲートオン電圧Ｖｏｎの印加を受けてもよい。
【００７４】
例えば、図４及び図５を参照すれば、奇数番目ゲート線Ｇ１、Ｇ３、．．．には出力映像データ（ｉ、ｊ）の出力時期に同期してゲートオン電圧Ｖｏｎが印加されてもよい。しかし、偶数番目ゲート線Ｇ２、Ｇ４、．．．に印加されるゲートオン電圧パルスは、一般的なゲートダブリング駆動とは異なり、直前奇数番目ゲート線Ｇ１、Ｇ３、．．．と同時に印加されず、時間的に後に移動するが、その直後奇数番目ゲート線Ｇ１、Ｇ３、．．．にゲートオン電圧Ｖｏｎが印加され始める時点以前に印加され始めてもよい。すなわち、偶数番目ゲート線Ｇ２、Ｇ４、．．．にゲートオン電圧Ｖｏｎが印加され始める時間は、すぐ上の奇数番目ゲート線Ｇ１、Ｇ３、．．．にゲートオン電圧Ｖｏｎが印加され始める時点と、すぐ下の奇数番目ゲート線Ｇ１、Ｇ３、．．．にゲートオン電圧Ｖｏｎが印加され始める時点との間に位置してもよい。
【００７５】
全てのゲート線Ｇ１−Ｇｎに印加されるゲートオン電圧Ｖｏｎのパルス幅は実質的に同一であってもよいが、これに限定されない。本実施形態ではゲートオン電圧Ｖｏｎのパルス幅が一定なものを例として挙げて説明する。
【００７６】
これにより、偶数番目ゲート線Ｇ２、Ｇ４、．．．に接続された画素ＰＸは、直前奇数番目画素行の画素ＰＸに対する出力映像データＤＡＴのデータ電圧、及び直後奇数番目画素行の画素ＰＸに対する出力映像データＤＡＴのデータ電圧を、時間的に分割して印加を受けてもよい。
【００７７】
例えば、第２ゲート線Ｇ２に接続された第３列の画素ＰＸは、１つのゲートオン電圧パルスが維持される間に、出力映像データ（１、３）のデータ電圧Ｖｄの印加を受けた後、出力映像データ（３、３）のデータ電圧Ｖｄの印加を受けてもよい。このように偶数番目ゲート線Ｇ２、Ｇ４、．．．に接続された画素ＰＸは、結局、２つのデータ電圧Ｖｄの時間的平均などの補間値により充電されて、２つの出力映像データＤＡＴの中間輝度を示すことができる。これにより、偶数番目ゲート線Ｇ２、Ｇ４、．．．に接続された画素ＰＸに印加されるデータ電圧を時間的補間（ｉｎｔｅｒｐｏｌａｔｉｏｎ）したような効果が得られる。
【００７８】
偶数番目ゲート線Ｇ２、Ｇ４、．．．に印加されるゲートオン電圧パルスのうち、直前奇数番目ゲート線Ｇ１、Ｇ３、．．．に印加されるゲートオン電圧パルスとの重畳区間Ｔａと非重畳区間Ｔｂとの比は適切に調節されてもよい。非重畳区間Ｔｂは、直後奇数番目ゲート線Ｇ３、Ｇ５、．．．に印加されるゲートオン電圧パルスとの重畳区間になる。このように調節された輝度値または重畳区間Ｔａ及び非重畳区間Ｔｂの長さは、信号制御部６００が含むメモリなどに保存しておいて参照してもよい。
【００７９】
本発明の一実施形態によれば、重畳区間Ｔａの長さはフレームにより異なってもよいが、互いに異なる重畳区間Ｔａを有する２つ以上のフレームが交番してもよい。
【００８０】
当該画素ＰＸが目標電圧に到達するために、直前奇数番目行の出力映像データＤＡＴと直後奇数番目行の出力映像データＤＡＴにＷ１：Ｗ２の加重値をかけなければならない場合、重畳区間Ｔａと非重畳区間Ｔｂとの比は約Ｗ１：Ｗ２であってもよい。例えば、データ電圧Ｖｄの時間的補間値が平均値にならなければならない場合、ＴａとＴｂとの比は約１：１であってもよい。
【００８１】
図６に、例として図示したように表示しようとする映像の斜線、曲線などの形態を有する周縁の境界がブラックとホワイトからなる場合、ゲートダブリング駆動方式により映像を表示しても、解像度の低下によって映像の周縁が階段のように見える階段現象（ａｌｉａｓｉｎｇ）が発生しうる。しかし、本発明の一実施形態による駆動方法により映像を表示すれば、偶数番目ゲート線Ｇ２、Ｇ４、．．．に接続された画素ＰＸは、直前奇数番目ゲート線Ｇ１、Ｇ３、．．．及び直後奇数番目ゲート線Ｇ１、Ｇ３、．．．に接続された画素ＰＸに対する出力映像データＤＡＴの補間値に対応する電圧で充電される。したがって、映像の周縁で互いに異なる階調のほぼ中間値に対応する輝度で満たされて観察される領域が形成される。これにより、図６における右側の絵のように映像の周縁が階段のように見えるのが緩和されて、階段現象緩和効果を得ることができ、映像が滑らかになり、画素ＰＸが目立って見えないので、視覚的にも高い解像度と感じられる。
【００８２】
本発明の実施形態によれば、高解像度の表示装置で追加的な映像補間フィルターなどの回路がなくても、容易に階段現象緩和（ａｎｔｉ−ａｌｉａｓｉｎｇ）効果を得ることができるので、費用節減の長所がある。
【００８３】
また、偶数番目ゲート線Ｇ２、Ｇ４、．．．に印加されるゲート信号の時間的移動を通した補間駆動によって、偶数番目ゲート線Ｇ２、Ｇ４、．．．に接続された画素ＰＸは２つ以上の出力映像データＤＡＴの補間値に対応する電圧で充電されるので、出力映像データＤＡＴをアップスケーリング（ｕｐｓｃａｌｉｎｇ）する効果も得ることができ、高い解像度の映像が観察できる。
【００８４】
以上で、本実施形態について偶数番目ゲート線Ｇ２、Ｇ４、．．．に印加されるゲート信号の移動のみを説明したが、これに限定されず、奇数番目ゲート線Ｇ１、Ｇ３、．．．に印加されるゲートオン電圧のパルスを時間的に後に移動して、奇数番目ゲート線Ｇ１、Ｇ３、．．．に接続された画素ＰＸが時間的補間による電圧で充電されてもよい。
【００８５】
次に、図７及び図８を参照して、本発明の一実施形態による表示装置及びその駆動方法について説明する。上述した実施形態と同一の構成要素に対しては同一の図面符号を付し、同一の説明は省略している。
【００８６】
本発明の一実施形態による表示装置の駆動方法は、上述した図４及び図５に示した実施形態と大部分同一であるが、一定個数の画素行ごとに対応する出力映像データＤＡＴを左または右に少なくとも１つの画素ＰＸ分移動させてデータ駆動部５００に出力してもよい。例えば、図７に示したように、２つの画素行ごとの出力映像データＤＡＴ、さらに具体的に偶数行に対応する出力映像データＤＡＴを左に少なくとも１つの画素ＰＸ分移動させてデータ駆動部５００に出力してもよい。例えば、第３画素列（ｉ、３）に対応する出力映像データＤＡＴは、順次に（１、３）、（３、４）、（５、３）、（７、４）、．．．の通りである。図８は、複数の画素列のうちの第３画素列（ｉ、３）に対応する出力映像データ（ｉ、３）（ｉ＝１、３、５、．．．）を例として示す。
【００８７】
本実施形態によれば、偶数番目ゲート線Ｇ２、Ｇ４、．．．に接続された画素ＰＸに時間的に分割されて印加されるデータ電圧は、直前奇数番目画素行及び同一の画素列の画素ＰＸに対する出力映像データＤＡＴのデータ電圧であったが、直後奇数番目画素行及び右側画素列の画素ＰＸに対する出力映像データＤＡＴのデータ電圧になってもよい。
【００８８】
例えば、画素（２、３）は、１つのゲートオン電圧パルスが維持される間に同一の画素列の出力映像データ（１、３）のデータ電圧Ｖｄの印加を受けた後、右側画素列の出力映像データ（３、４）のデータ電圧Ｖｄの印加を受けてもよい。
【００８９】
このように、偶数番目ゲート線Ｇ２、Ｇ４、．．．に接続された画素ＰＸは、結局、２つのデータ電圧Ｖｄの時間的平均などの補間値により充電されて、２つの出力映像データＤＡＴの中間輝度を示すことができ、印加される２つのデータ電圧Ｖｄは、少なくとも２つの画素列に対応する出力映像データＤＡＴのデータ電圧であるので、映像の補間効果をさらに高められる。これにより、偶数番目ゲート線Ｇ２、Ｇ４、．．．に接続された画素ＰＸに印加されるデータ電圧は、少なくとも２つの出力映像データＤＡＴの時間的補間及び空間的補間を行った値になって、階段現象緩和効果は最大となり、映像の周縁をスムーズに表示できる。このとき、追加的な映像補間フィルターなどの回路がなくても、容易に階段現象を緩和できるので、費用節減も可能である。
【００９０】
本発明の一実施形態によれば、上述した図４及び図５に示した実施形態による駆動方法と図７及び図８に示した実施形態による駆動方法とを少なくとも１フレームごとに交番してもよい。これとは異なり、各駆動方法によって連続したフレーム内に映像を表示してもよい。
【００９１】
本実施形態とは異なり、出力映像データＤＡＴは、ゲートダブリングで同時に駆動される隣接したｋ個のゲート線Ｇ１−Ｇｎに印加されるゲートオン電圧パルスを全て同期させてもよい。すなわち、一般のゲートダブリング駆動のように、各出力映像データＤＡＴが出力されるときに、同時に駆動される隣接したｋ個のゲート線Ｇ１−Ｇｎに同時にゲートオン電圧パルスが印加され始めてもよい。この場合にも、出力映像データＤＡＴが一定個数の行ごとに左または右に移動されて、容易に階段現象を緩和することができる。
【００９２】
図９は、本発明の一実施形態による表示装置が特定映像を表示するときに現れるムービング縦線が、本発明の一実施形態による表示装置の駆動方法により解消されることを示す。
【００９３】
図９を参照すれば、表示パネル３００で単一階調の映像が表示され、このような映像が１フレームごとに１つまたは２つの画素ＰＸの速度でスクロールされながら移動する場合、図９の上側に示したように、ムービング縦線（ｍｏｖｉｎｇ  ｖｅｒｔｉｃａｌ  ｌｉｎｅ）が視認されうる。特に、液晶表示装置の場合、共通電圧Ｖｃｏｍに対するデータ電圧Ｖｄの極性がフレームごとに一定するとき、液晶層に生じる直流バイアスによって発生しうる残像を解消するために、データ電圧Ｖｄの極性をフレームごとに反転させて、隣接した画素列に印加されるデータ電圧Ｖｄの極性を反対にするカラム反転駆動を行ってもよい。図９は、各画素ＰＸに印加されるデータ電圧Ｖｄの極性の例を示す。
【００９４】
１フレームＦ（Ｎ）に同一の階調の単色の映像を表示し、次のフレームＦ（Ｎ＋１）では右側に１つの画素ＰＸを移動させて同一の映像を表示する場合、フレーム極性反転によって映像の周縁部分を表示する画素ＰＸの極性が同一となりうる。これにより、映像の同一の部分が互いに異なるフレームＦ（Ｎ）、Ｆ（Ｎ＋１）においても同一の極性で表示されるため、極性反転効果がなくなり、縦線が視認されうる。
【００９５】
しかし、本発明の一実施形態のように、図４及び図５に示した実施形態による駆動方法と図７及び図８に示した実施形態による駆動方法とを少なくとも１フレームごとに交番すれば、このようなムービング縦線が視認されないようにすることができる。図９における下側の絵を参照すれば、１フレームＦ（Ｎ）では上述した図４及び図５に示した実施形態によって駆動し、次のフレームＦ（Ｎ＋１）で図示した実施形態によって駆動する場合、同一の映像の周縁を表示する画素ＰＸが一定画素行ごとに左側に移動されて、直前フレームＦ（Ｎ）とは異なる極性で映像が表示されうる。したがって、動く映像がムービング縦線に視認されない。
【００９６】
次に、図１０及び図１１を参照して、本発明の一実施形態による表示装置及びその駆動方法について説明する。上述した実施形態と同一の構成要素に対しては同一の図面符号を付し、同一の説明は省略している。
【００９７】
本発明の一実施形態による表示装置の駆動方法は、上述した図７及び図８に示した実施形態と大部分同一であるが、一定個数の画素行ごとに対応する出力映像データＤＡＴを右に少なくとも１つの画素ＰＸ分移動させてデータ駆動部５００に出力してもよい。例えば、図１０に示したように、２つの画素行ごとの出力映像データＤＡＴ、さらに具体的に偶数行に対応する出力映像データＤＡＴを右に１つの画素ＰＸ分移動させてデータ駆動部５００に出力してもよい。例えば、第３画素列（ｉ、３）に対応する出力映像データＤＡＴは、順次に（１、３）、（３、２）、（５、３）、（７、２）、．．．の通りである。図１１は、複数の画素列のうちの第３画素列（ｉ、３）に対応する出力映像データ（ｉ、３）（ｉ＝１、３、５、．．．）を例として示す。
【００９８】
本実施形態によれば、偶数番目ゲート線Ｇ２、Ｇ４、．．．に接続された画素ＰＸに時間的に分割されて印加されるデータ電圧は、直前奇数番目画素行及び同一の画素列の画素ＰＸに対する出力映像データＤＡＴのデータ電圧であったが、直後奇数番目画素行及び左側画素列の画素ＰＸに対する出力映像データＤＡＴのデータ電圧になる。
【００９９】
例えば、画素（２、３）は、１つのゲートオン電圧パルスが維持される間に同一の画素列の出力映像データ（１、３）のデータ電圧Ｖｄの印加を受けた後、左側画素列の出力映像データ（３、２）のデータ電圧Ｖｄの印加を受けてもよい。
【０１００】
このように偶数番目ゲート線Ｇ２、Ｇ４、．．．に接続された画素ＰＸは、結局２つのデータ電圧Ｖｄの時間的平均などの補間値により充電されて、２つの出力映像データＤＡＴの中間輝度を示すことができ、印加される２つのデータ電圧Ｖｄは、少なくとも２つの画素列に対応する出力映像データＤＡＴのデータ電圧であるので、映像の補間効果をさらに高められる。これにより、偶数番目ゲート線Ｇ２、Ｇ４、．．．に接続された画素ＰＸに印加されるデータ電圧は、少なくとも２つの出力映像データＤＡＴの時間的補間及び空間的補間を行った値になって、階段現象緩和効果は最大化され、映像の周縁をスムーズに表示できる。このとき、追加的な映像補間フィルターなどの回路がなくても、容易に階段現象を緩和できるので、費用節減も可能である。
【０１０１】
本発明の一実施形態によれば、上述した図４及び図５に示した実施形態による駆動方法と図１０及び図１１に示した実施形態による駆動方法とを少なくとも１フレームごとに交番してもよい。これとは異なり、各駆動方法によって連続したフレーム内に映像を表示してもよい。
【０１０２】
本発明の一実施形態によれば、上述した図７及び図８に示した実施形態による駆動方法と図１０及び図１１に示した実施形態による駆動方法とを少なくとも１フレームごとに交番してもよい。
【０１０３】
本発明の一実施形態によれば、上述した図４及び図５に示した実施形態による駆動方法、図７及び図８に示した実施形態による駆動方法、そして図１０及び図１１に示した実施形態による駆動方法を少なくともフレームごとに交番してもよい。このとき、互いに異なる駆動方法の順序は多様に変更されてもよい。
【０１０４】
図１２及び図１３は、それぞれ本発明の一実施形態による表示装置をゲートダブリング駆動するとき、１フレーム内に表示パネルに入力される出力映像データ及びゲート信号を示す。
【０１０５】
図１２を参照すれば、本発明の一実施形態による表示装置の駆動方法は、上述した図７及び図８に示した実施形態による駆動方法または図１０及び図１１に示した実施形態による駆動方法と大部分同一であるが、１フレーム内に一定個数の画素行ごとに対応する出力映像データＤＡＴを移動させる方向が一定でなく、交番してもよい。例えば、図１２に示したように、（４ｋ−２）（ｋ＝１、２、．．．）番目行に対応する出力映像データＤＡＴは左に移動させ、４ｋ番目行に対応する出力映像データＤＡＴは右に移動させてもよい。すなわち、偶数行に対応する出力映像データＤＡＴを左右に移動させるが、左に移動させる偶数行と右に移動させる偶数行とが、２つの画素行ごとに交番してもよい。図１２を参照すれば、第３画素列（ｉ、３）に対応する出力映像データＤＡＴは、順次に（１、３）、（３、４）、（５、３）、（７、２）、（９、３）、．．．の通りである。
【０１０６】
これによれば、偶数番目画素行の画素ＰＸに印加されるデータ電圧が多様に混ざって補間できるので、階段現象緩和効果をさらに高められる。
【０１０７】
図１３を参照すれば、本発明の一実施形態による表示装置の駆動方法は、図１２に示した実施形態と大部分同一であるが、４ｋ−２（ｋ＝１、２、．．．）番目行に対応する出力映像データＤＡＴは右に移動させ、４ｋ番目行に対応する出力映像データＤＡＴは左に移動させてもよい。図１３を参照すれば、第３画素列（ｉ、３）に対応する出力映像データＤＡＴは、順次に（１、３）、（３、２）、（５、３）、（７、４）、（９、３）．．．の通りである。
【０１０８】
本発明の一実施形態によれば、上述した図４及び図５に示した実施形態による駆動方法と図１２または図１３に示した実施形態による駆動方法とを少なくとも１フレームごとに交番してもよい。
【０１０９】
次に、図１４乃至図１６を参照して、本発明の一実施形態による表示装置の駆動方法について説明する。上述した実施形態と同一の構成要素に対しては同一の図面符号を付し、同一の説明は省略している。
【０１１０】
図１４を参照すれば、本実施形態による表示装置の駆動方法は、上述した図４及び図５に示した実施形態と大部分同一であるが、映像データの減少程度及び同時に駆動されるゲート線Ｇ１−Ｇｎの数が異なってもよい。
【０１１１】
具体的に、１フレーム内に垂直解像度が１／４に減少した圧縮データ、例えば、（４ｋ−３）（ｋは１以上の自然数）番目行圧縮データ（または補間圧縮データ）、（４ｋ−２）番目行圧縮データ（または補間圧縮データ）、（４ｋ−１）番目行圧縮データ（または補間圧縮データ）、または４ｋ番目行圧縮データ（または補間圧縮データ）をデータ駆動部５００に入力し、それによるデータ電圧Ｖｄを画素ＰＸに印加してもよい。本実施形態では（４ｋ−３）（ｋは１以上の自然数）番目行圧縮データをデータ駆動部５００に出力する場合について説明する。例えば、第３画素列（ｉ、３）に対応する出力映像データＤＡＴは、（１、３）、（５、３）、（９、３）、．．．の通りである。
【０１１２】
本発明の一実施形態による表示装置の駆動方法においては、４つの隣接したゲート線Ｇ１−Ｇｎを同時に駆動するゲートダブリング駆動が可能であり、１つの出力映像データ（ｉ、ｊ）に対応してゲートオン電圧Ｖｏｎを伝達する４つの隣接したゲート線Ｇ１−Ｇｎのうち、少なくとも２つのゲート線Ｇ１−Ｇｎにゲートオン電圧Ｖｏｎが印加され始める時点は互いに異なってもよい。
【０１１３】
さらに具体的に、１つの出力映像データ（ｉ、ｊ）に対応してゲートオン電圧Ｖｏｎを伝達する４つのゲート線のうち、少なくとも一部に印加されるゲートオン電圧パルスが後または前に時間的移動（ｔｉｍｉｎｇ  ｓｈｉｆｔ）をする。このとき、１つの出力映像データ（ｉ、ｊ）に対応してゲートオン電圧Ｖｏｎを伝達する４つの隣接したゲート線Ｇ１−Ｇｎのうちの少なくとも１つは、出力映像データ（ｉ、ｊ）の出力時期に同期してゲートオン電圧Ｖｏｎの印加を受けてもよい。
【０１１４】
（４ｋ−３）（ｋ＝１、２、３、．．．）番目ゲート線Ｇ１、Ｇ５、．．．には、出力映像データＤＡＴの出力時期に同期してゲートオン電圧Ｖｏｎが印加されてもよい。しかし、その次の（４ｋ−２）番目ゲート線Ｇ２、Ｇ６、．．．、（４ｋ−１）番目ゲート線Ｇ３、Ｇ７、．．．、及び４ｋ番目ゲート線Ｇ４、Ｇ８、．．．に印加されるゲートオン電圧パルスは、（４ｋ−３）番目ゲート線Ｇ１、Ｇ５、．．．と同時に印加されず、時間的に後に移動するが、その次の（４ｋ−３）番目（ｋ＝２、３、．．．）ゲート線Ｇ１、Ｇ３、．．．にゲートオン電圧Ｖｏｎが印加され始める時点以前に印加され始めてもよい。
【０１１５】
（４ｋ−３）番目ゲート線Ｇ１、Ｇ５、．．．にゲートオン電圧パルスが印加され始める時点から、（４ｋ−２）番目ゲート線Ｇ２、Ｇ６、．．．、（４ｋ−１）番目ゲート線Ｇ３、Ｇ７、．．．、及び４ｋ番目ゲート線Ｇ４、Ｇ８、．．．それぞれにゲートオン電圧パルスが印加される時点の移動時間Ｔ１、Ｔ２、Ｔ３は互いに異なってもよく、順次に大きくなってもよい。例えば、１つのゲートオン電圧パルスの印加時間を１Ｈとするとき、移動時間Ｔ１、移動時間Ｔ２、及び移動時間Ｔ３は、それぞれほぼＨ／４、２Ｈ／４、及び３Ｈ／４であってもよい。
【０１１６】
これにより、（４ｋ−２）番目ゲート線Ｇ２、Ｇ６、．．．、（４ｋ−１）番目ゲート線Ｇ３、Ｇ７、．．．、及び４ｋ番目ゲート線Ｇ４、Ｇ８、．．．に接続された画素ＰＸは、４ｋ番目ゲート線Ｇ１、Ｇ５、．．．に接続された画素ＰＸに対する出力映像データＤＡＴのデータ電圧、及びその次の４ｋ番目ゲート線Ｇ５、Ｇ９、．．．に接続された画素ＰＸに対する出力映像データＤＡＴのデータ電圧を、時間的に分割して印加を受けてもよい。
【０１１７】
例えば、第２ゲート線Ｇ２に接続された第３列の画素（２、３）は、１つのゲートオン電圧パルスが維持される間に、出力映像データ（１、３）のデータ電圧Ｖｄの印加を受けた後に、出力映像データ（５、３）のデータ電圧Ｖｄの印加を受けてもよく、結局２つのデータ電圧Ｖｄの時間的平均などの補間値により充電されて、２つの出力映像データＤＡＴの中間輝度を示すことができる。このとき、輝度は、当該画素行が接続されたゲート線Ｇ１−Ｇｎに印加されるゲートオン電圧パルスの重畳区間Ｔａと非重畳区間Ｔｂを異なるようにして調節してもよい。これにより、（４ｋ−２）番目ゲート線Ｇ２、Ｇ６、．．．、（４ｋ−１）番目ゲート線Ｇ３、Ｇ７、．．．、及び４ｋ番目ゲート線Ｇ４、Ｇ８、．．．に接続された画素ＰＸに印加されるデータ電圧を時間的補間したような効果を得ることができる。これによる階段現象緩和効果を得ることができ、解像度の劣化も抑制できる。
【０１１８】
次に、図１５を参照すれば、本実施形態による表示装置の駆動方法は、図１４に示した実施形態と大部分同一であるが、一定個数の画素行ごとに対応する出力映像データＤＡＴを左または右に少なくとも１つの画素ＰＸ分移動させてデータ駆動部５００に出力してもよい。例えば、減少した出力映像データＤＡＴのうち、２つの行ごとの出力映像データＤＡＴ、さらに具体的に（４ｋ＋１）（ｋ＝１、２、．．．）番目画素行に対応する出力映像データＤＡＴを左に少なくとも１つの画素ＰＸ分移動させてデータ駆動部５００に出力してもよい。例えば、第３画素列（ｉ、３）に対応する出力映像データＤＡＴは、順次に（１、３）、（５、４）、（９、３）、．．．の通りである。
【０１１９】
本実施形態によれば、（４ｋ−２）番目ゲート線Ｇ２、Ｇ６、．．．、（４ｋ−１）番目ゲート線Ｇ３、Ｇ７、．．．、及び４ｋ番目ゲート線Ｇ４、Ｇ８、．．．に接続された画素ＰＸに時間的に分割されて印加されるデータ電圧は、直前（４ｋ−３）（ｋ＝１、２、．．．）番目画素行及び同一の画素列の画素ＰＸに対する出力映像データＤＡＴのデータ電圧であったが、直後（４ｋ−３）（ｋ＝２、３、．．．）番目画素行及び右側画素列の画素ＰＸに対する出力映像データＤＡＴのデータ電圧になる。
【０１２０】
本発明の一実施形態によれば、上述した図１４に示した実施形態による駆動方法と図１５に示した実施形態による駆動方法とを少なくとも１つのフレームごとに交番してもよい。これとは異なり、各駆動方法によって連続したフレーム内に映像を表示してもよい。
【０１２１】
次に、図１６を参照すれば、本実施形態による表示装置の駆動方法は、図１４に示した実施形態と大部分同一であるが、一定個数の画素行ごとに対応する出力映像データＤＡＴを右に少なくとも１つの画素ＰＸ分移動させてデータ駆動部５００に出力してもよい。例えば、減少した出力映像データＤＡＴの２つの行ごとの出力映像データＤＡＴ、さらに具体的に（４ｋ＋１）（ｋ＝１、２、．．．）番目画素行に対応する出力映像データＤＡＴを右に少なくとも１つの画素ＰＸ分移動させてデータ駆動部５００に出力してもよい。例えば、第３画素列（ｉ、３）に対応する出力映像データＤＡＴは、順次に（１、３）、（５、２）、（９、３）、．．．の通りである。
【０１２２】
本実施形態によれば、（４ｋ−２）番目ゲート線Ｇ２、Ｇ６、．．．、（４ｋ−１）番目ゲート線Ｇ３、Ｇ７、．．．、及び４ｋ番目ゲート線Ｇ４、Ｇ８、．．．に接続された画素ＰＸに時間的に分割されて印加されるデータ電圧は、順次に直前（４ｋ−３）（ｋ＝１、２、．．．）番目画素行及び同一の画素列の画素ＰＸに対する出力映像データＤＡＴのデータ電圧であったが、直後（４ｋ−３）（ｋ＝２、３、．．．）番目画素行及び左側画素列の画素ＰＸに対する出力映像データＤＡＴのデータ電圧になる。
【０１２３】
本発明の一実施形態によれば、上述した図１４に示した実施形態による駆動方法と図１６に示した実施形態による駆動方法とを少なくとも１フレームごとに交番してもよい。これとは異なり、各駆動方法によって連続したフレーム内に映像を表示してもよい。
【０１２４】
本発明の一実施形態によれば、上述した図１５に示した実施形態による駆動方法と図１６に示した実施形態による駆動方法とを少なくとも１フレームごとに交番してもよい。
【０１２５】
本発明の一実施形態によれば、上述した図１４に示した実施形態による駆動方法、図１５に示した実施形態による駆動方法、及び図６に示した実施形態による駆動方法を少なくともフレームごとに交番してもよい。このとき、互いに異なる駆動方法の順序は多様に変更されてもよい。
【０１２６】
以下、上述した図面と共に図１７及び図１８を参照して、本発明の一実施形態による表示装置及びその駆動方法について説明する。
【０１２７】
図１７を参照すれば、本発明の一実施形態による表示装置１は、上述した図１に示した実施形態による表示装置１と大部分同一であるが、グラフィック制御部７００、及び立体映像変換部材６０をさらに含んでもよい。上述した実施形態との差異点のみを説明する。
【０１２８】
グラフィック制御部７００は、外部から映像情報ＤＡＴＡ及びモード選択情報ＳＥＬなどを受信できる。モード選択情報ＳＥＬは、映像を２Ｄモードで表示するのか、または３Ｄモードで表示するのかに対する、２Ｄ／３Ｄモードに対する選択情報などを含むことができる。グラフィック制御部７００は、映像情報ＤＡＴＡ及びモード選択情報ＳＥＬに基づいて、入力映像データＩＤＡＴ及び入力映像データＩＤＡＴの表示を制御する入力制御信号ＩＣＯＮを生成する。グラフィック制御部７００は、モード選択情報ＳＥＬが３Ｄモードを選択するという情報を含む場合、３Ｄイネーブル信号３Ｄ_ｅｎをさらに生成できる。入力映像データＩＤＡＴ、入力制御信号ＩＣＯＮ、及び３Ｄイネーブル信号３Ｄ_ｅｎは、信号制御部６００に伝達できる。３Ｄイネーブル信号３Ｄ_ｅｎは、表示装置が３Ｄモードで動作して立体映像が表示されるように指示し、省略されてもよい。
【０１２９】
信号制御部６００は、ゲート制御信号ＣＯＮＴ１とデータ制御信号ＣＯＮＴ２以外に立体映像制御信号ＣＯＮＴ３なども生成する。信号制御部６００は、立体映像制御信号ＣＯＮＴ３を立体映像変換部材６０に伝達する。
【０１３０】
信号制御部６００は、グラフィック制御部７００から受信した３Ｄイネーブル信号３Ｄ_ｅｎによって、２Ｄ映像を表示する２Ｄモードまたは３Ｄ映像を表示する３Ｄモードで動作できる。３Ｄモードにおいて出力映像データＤＡＴは互いに異なる時点の映像信号を含んでもよい。３Ｄモードにおいて表示パネル３００の１つの画素ＰＸは、互いに異なる視点の映像信号に対応するデータ電圧を交互に表示したり、互いに異なる画素ＰＸが互いに異なる視点の映像信号に対応するデータ電圧を表示してもよい。
【０１３１】
立体映像変換部材６０は、立体映像表示を実現するためのものであって、互いに異なる地点に各視点に対応する映像が認識されるようにすることができる。立体映像変換部材６０は表示パネル３００に同期して動作できる。
【０１３２】
例えば、立体映像変換部材６０は、観察者の左眼に左眼用映像（「左眼映像」という）が入射するようにし、右眼に右眼用映像（「右眼映像」という）が入射するようにして、両眼視差が発生するようにすることができる。すなわち、立体映像変換部材６０は、互いに異なる視点にそれぞれ異なる映像が入力されるようにして、観察者が立体感を感じられるようにする。
【０１３３】
図１８を参照すれば、立体映像変換部材６０は、一人の観察者の両眼が互いに異なる映像を観察できるようにするシャッターメガネ６０ａ１、６０ａ２を含んでもよい。
【０１３４】
表示パネル３００の画素ＰＸは、第１視点ＶＷ１に対する出力映像データＤＡＴ１と、第２視点ＶＷ２に対する出力映像データＤＡＴ２とを互いに異なる時間に表示し、観察者は、表示パネル３００に同期されて動作するシャッターメガネ６０ａ１、６０ａ２を通じて、互いに異なる第１視点ＶＷ１及び第２視点ＶＷ２でそれぞれの映像を観察することができる。第１視点ＶＷ１のシャッターメガネ６０ａ１及び第２視点ＶＷ２のシャッターメガネ６０ａ２は、互いに異なるタイミングにオン（ｏｎ）／オフ（ｏｆｆ）されてもよい。
【０１３５】
メガネ式立体映像表示装置において、互いに異なる観察者がそれぞれ第１視点ＶＷ１及び第２視点ＶＷ２でシャッターメガネ６０ａ１、６０ａ２を通じてそれぞれの映像を観察することもでき、一人の観察者の左眼及び右眼がそれぞれ第１視点ＶＷ１及び第２視点ＶＷ２でシャッターメガネ６０ａ１、６０ａ２を通じて左眼映像及び右眼映像を観察することも可能である。
【０１３６】
例えば、表示パネル３００が、第１視点ＶＷ１に該当する左眼映像と、第２視点ＶＷ２に該当する右眼映像とを交互に表示すると、シャッターメガネ６０ａ１及びシャッターメガネ６０ａ２がこれに同期して、交互に光を透過及び遮断することができる。これにより、観察者はシャッターメガネ６０ａ１、６０ａ２を通じて表示パネル３００の映像を立体映像として認識できる。
【０１３７】
このように、表示装置が互いに異なる視点の映像を交互に表示する場合にも、上述した種々の実施形態による駆動方法が適用されて、立体映像で発生しうる階段現象を緩和することができる。
【０１３８】
上述した実施形態のタイミング図ではプリチャージの場合について説明していないが、データ電圧の充電率を確保するためにゲートオン電圧パルスを一定時間前に予め印加するプリチャージ駆動方法が同時に適用されてもよい。
【０１３９】
以上、本発明の好ましい実施形態について詳細に説明したが、本発明の権利範囲はこれに限定されず、請求範囲で定義している本発明の基本概念を利用した当業者の種々の変形及び改良形態も本発明の権利範囲に属する。
【符号の説明】
【０１４０】
６０  立体映像変換部材
６０ａ  シャッターメガネ
３００  表示パネル
４００  ゲート駆動部
５００  データ駆動部
６００  信号制御部
６５０  フレームレート制御部
６６０  フレームメモリ
７００  グラフィック制御部
【図１】
0006731244.tif 000002
【図２】
0006731244.tif 000003
【図３】
0006731244.tif 000004
【図４】
0006731244.tif 000005
【図５】
0006731244.tif 000006
【図６】
0006731244.tif 000007
【図７】
0006731244.tif 000008
【図８】
0006731244.tif 000009
【図９】
0006731244.tif 000010
【図１０】
0006731244.tif 000011
【図１１】
0006731244.tif 000012
【図１２】
0006731244.tif 000013
【図１３】
0006731244.tif 000014
【図１４】
0006731244.tif 000015
【図１５】
0006731244.tif 000016
【図１６】
0006731244.tif 000017
【図１７】
0006731244.tif 000018
【図１８】
0006731244.tif 000019